【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
対象皮膚にＲＦ電圧を適用する少なくとも１対の電極が遠位端に取り付けられたアプリケータと、
前記電極にＲＦ電圧を供給するＲＦ電圧発生器と
を含み、
前記ＲＦ電圧発生器は、
前記電極の一方におけるゼロ電位及び他方の電極の接地に対する最大電位と、
接地に対する電位に関係のない前記電極間の中央における最小電位と、
接地に対する前記電極間の中央におけるゼロ電位と
からなる電圧群の少なくとも１つであるＲＦ電圧を供給する、個人用皮膚トリートメント装置。
【請求項２】
前記アプリケータの前記遠位端に取り付けられた光源と赤及び赤外放射を伝達する広帯域光フィルタとをさらに含み、前記光源は、前記電極間に配置されて、前記フィルタを通して前記電極間の前記皮膚のセグメントを照射する、請求項１に記載の装置。
【請求項３】
前記電極は、幅：長さの比が少なくとも１：５の細長い本体を有して前記光フィルタ上に取り付けられる、請求項２に記載の装置。
【請求項４】
前記電極は、剛性電流導通体、可撓性電極、又は、表面レリーフを有する電極からなる電極群の少なくとも１つであって、前記電極の少なくとも１つはビルトイン熱電対を有する、請求項１に記載の装置。
【請求項５】
前記光源は、白熱ランプ、赤及び赤外放射を放つのに最適化されたランプ、及びリフレクタからなる群の少なくとも１つ、又は少なくとも１つのＬＥＤである、請求項２に記載の装置。
【請求項６】
前記アプリケータは、前記対象皮膚上をスライド移動の態様で動かされる、請求項１に記載の装置。
【請求項７】
ドッキングスタンドをさらに含み、前記アプリケータは、前記ドッキングスタンドにおいて前記アプリケータを保持する磁性又は強磁性のインサートを含む、請求項１に記載の装置。
【請求項８】
ゲルディスペンサをさらに含む、請求項１に記載の装置。
【請求項９】
熱電対、加速度計、又は皮膚インピーダンスモニタリングからなるセンサ群の少なくとも１つをさらに含む、請求項１に記載の装置。
【請求項１０】
前記ＲＦ電圧発生器は、前記センサ群の少なくとも１つによって動作するフィードバックループを有し、前記フィードバックループは、前記ＲＦ電圧発生器への定常負荷を維持するべく前記ＲＦ電圧発生器の出力電圧を変化させる、請求項９に記載の装置。
【請求項１１】
前記ＲＦ電圧発生器は、１Ｗから２０ＷのＲＦパワーを発生する、請求項１に記載の装置。
【請求項１２】
前記アプリケータを受容するドッキングスタンドをさらに有し、
前記ドッキングスタンドは、
少なくとも１つのＲＦ電圧発生器と、
前記ドッキングスタンドにおいて前記アプリケータを保持する磁性又は強磁性のインサートと、
動作インジケータと
を含む、請求項１に記載の装置。
【請求項１３】
少なくとも１対の電極が遠位端に取り付けられたアプリケータであって、トリートメントを受ける対象皮膚のセグメントに適用されるアプリケータと、
前記電極にＲＦ電圧を供給するＲＦ電圧発生器と
を含み、
前記電極と前記皮膚とを接触させて前記電極を短絡させることで、ＲＦ電流が前記電極間の前記皮膚を通って流れることが可能となり、
前記アプリケータは、前記トリートメントを受ける皮膚のセグメント上でスキャン移動の態様で動かされ、
前記ＲＦ電圧は、
前記電極の一方におけるゼロ電位及び他方の電極の接地に対する最大電位と、
接地に対する電位に関係のない前記電極間の中央における最小電位と、
接地に対する前記電極間のスパンの中央におけるゼロ電位と
からなる電圧群の少なくとも１つである美容皮膚トリートメント装置。
【請求項１４】
赤及び赤外放射が前記ＲＦ電圧と同時に前記対象皮膚の前記セグメントに適用される、請求項１３に記載の装置。
【請求項１５】
前記ＲＦ電圧発生器は、１Ｗから２０ＷのＲＦパワーを発生する、請求項１３に記載の装置。
【請求項１６】
前記ＲＦパワーは、連続又は準連続モードの態様で少なくとも０．５秒間適用される、請求項１３に記載の装置。
【請求項１７】
複数のセンサが、電極温度、皮膚温度、及び皮膚インピーダンスからなる群の少なくとも１つを検知し、前記ＲＦパワーは、前記センサの少なくとも１つの入力に基づいて自動的に変化する、請求項１３に記載の装置。
【請求項１８】
前記ＲＦパワーの前記自動的な変化は、ＲＦデューティサイクルの変化、前記ＲＦのスイッチオフ、及びスキャン速度の変化の少なくとも１つである、請求項１７に記載の装置。
【請求項１９】
前記ＲＦパワーの前記自動的な変化は、４４℃を超える第１皮膚温度又は４５℃を超える第２皮膚温度にて生じる、請求項１７に記載の装置。
【請求項２０】
皮膚の事前トリートメント工程に使用される、請求項１３に記載の装置。
【請求項２１】
前記皮膚の事前トリートメント工程は少なくとも、トリートメントを受ける前記セグメント上にゲルを広げることを含み、前記ゲルは、前記トリートメントを受ける皮膚表面よりも高い電気抵抗を有する、請求項２０に記載の装置。
【請求項２２】
アプリケータと、
前記アプリケータのためのドッキングスタンドと
を含み、
前記アプリケータの遠位端は、対象皮膚のセグメントにＲＦエネルギーを適用する少なくとも１対の電極が取り付けられ、
前記スタンドは少なくとも、前記電極に前記ＲＦエネルギーを供給するＲＦ電圧発生器と前記アプリケータを保持する永久磁石又は強磁性インサートとを含む、個人用皮膚トリートメント装置。
【請求項２３】
加速度計をさらに含む、請求項２２に記載の装置。
【請求項２４】
前記ドッキングスタンドは、
少なくとも１つのＲＦ電圧発生器と、
第２色のスタンド動作インジケータと
をさらに含む、請求項２２に記載の装置。
【請求項２５】
本体を有して対象皮膚のセグメントに適用されるアプリケータを含み、
前記本体の一部には少なくとも１対の電極が取り付けられ、
前記電極はＲＦエネルギーを対象皮膚のセグメントに適用し、前記対象皮膚は前記電極を短絡させてＲＦ電流が前記電極間を流れることを可能とし、
前記電極と前記対象皮膚と永続的な接触を維持して前記アプリケータがトリートメントを受ける前記対象皮膚の前記セグメント上でスキャン移動の態様で動かされ、
前記ＲＦエネルギーと同時に前記対象皮膚の前記セグメントに赤及び赤外放射が適用される、美容皮膚トリートメント装置。
【請求項２６】
前記トリートメントに伴って、１つ以上のセンサが、電極温度、皮膚温度、及び皮膚インピーダンスからなる群の少なくとも１つを検知し、前記センサの少なくとも１つの入力に基づいて前記ＲＦエネルギーが自動的に変化する、請求項２５に記載の美容皮膚トリートメント装置。
【請求項２７】
前記ＲＦエネルギーの自動的な変化は、前記温度が４４℃を超えるときの第１温度において、及び、前記温度が４５℃を超えるときの第２温度において生じる、請求項２６に記載の美容皮膚トリートメント装置。
【請求項２８】
皮膚の事前トリートメント工程に使用される、請求項２６に記載の美容皮膚トリートメント装置。
【請求項２９】
前記事前トリートメント工程は少なくとも、トリートメントを受ける前記皮膚表面上にゲルを広げることを含む、請求項２８に記載の美容皮膚トリートメント装置。
【請求項３０】
保持し易い本体と、
ＲＦ電圧発生器と、
電源と
を含み、
前記本体は、前記保持し易い本体の遠位端に取り付けられた少なくとも１対の電極を含み、前記電極はＲＦ電圧を対象皮膚に適用し、前記ＲＦ電圧発生器は、前記ＲＦ電圧を前記電極に供給する、個人用美容皮膚トリートメント装置。
【請求項３１】
前記本体の前記遠位端に取り付けられた、光源と、赤及び赤外放射を伝達する広帯域光フィルタとをさらに含み、
前記光源は前記電極間に配置され、
前記光源は、前記フィルタを介して前記電極間の前記対象皮膚のセグメントを照射する、請求項３０に記載の装置。
【請求項３２】
前記ＲＦ電圧発生器は、
前記電極の一方におけるゼロ電位及び他方の電極の接地に対する最大電位と、
接地に対する電位に関係のない前記電極間の中央における最小電位と、
接地に対する前記電極間の中央におけるゼロ電位と
からなる電圧群の１つであるＲＦ電圧を供給する、請求項３０に記載の装置。